【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
映像データを投影する投影装置であって、
前記映像データが投影されているスクリーンを撮像する撮像手段と、
前記撮像手段により得られた画像データから、前記スクリーンに投影されている映像データとは別に当該スクリーンに付加された付加情報を検出する検出手段と、
前記検出手段により検出された付加情報と、当該付加情報が検出されたときに前記スクリーンに投影されていた映像データとを関連付けて記録する記録手段と、
前記スクリーンに投影されている映像データが切り替えられたときに、前記撮像手段によるスクリーンの撮影と、前記検出手段による付加情報の検出とを行い、前記検出手段により新たに付加情報が検出されたときに、当該新たに検出された付加情報と当該付加情報が検出されたときに投影されていた映像データとを関連付けて記録するように制御する制御手段と、を有することを特徴とする投影装置。
【請求項２】
前記スクリーンに投影されている映像データを保存する第１の保存手段と、
前記映像データの投影中に検出された付加情報を保存する第２の保存手段と、をさらに有し、
前記記録手段は、記録要求に応じて、前記第１の保存手段に保存されている映像データと、前記第２の保存手段に保存されている付加情報とを関連付けて記録することを特徴とする請求項１に記載の投影装置。
【請求項３】
前記記録手段は、前記検出手段により新たに検出された付加情報と、当該付加情報が検出されたときに投影されていた映像データに加えて、当該映像データにおける前記付加情報の位置を示す第１の情報と当該付加情報が消去されたタイミングを示す第２の情報の少なくともいずれかを記録することを特徴とする請求項１または２に記載の投影装置。
【請求項４】
前記記録手段により関連付けて記録された映像データと付加情報とを前記第１の情報と前記第２の情報の少なくともいずれかに基づいて合成する合成手段と、
前記合成手段により合成された画像データを再生する再生手段と、をさらに有することを特徴とする請求項３に記載の投影装置。
【請求項５】
前記制御手段は、前記第２の情報に基づき前記付加情報が消去された映像データに付加情報を合成しないように前記合成手段を制御することを特徴とする請求項４に記載の投影装置。
【請求項６】
前記付加情報は、前記映像データが投影されているときにスクリーンに書き込まれた手書き情報であることを特徴とする請求項１ないし５のいずれか１項に記載の投影装置。
【請求項７】
前記撮像手段は、前記映像データが投影されているスクリーンとは異なるスクリーンに書き込まれた手書き情報を撮像することを特徴とする請求項６に記載の投影装置。
【請求項８】
前記制御手段は、前記映像データの投影範囲内において第１の付加情報が検出され、前記映像データの投影範囲外において第２の付加情報が検出された場合、前記映像データが切り替えられても、前記第２の付加情報が消去されるまでは常に前記第２の保存手段に保存するように制御することを特徴とする請求項２に記載の投影装置。
【請求項９】
画像処理装置から映像データを受信する受信手段と、
前記スクリーンに投影されている映像データと、前記検出手段により前記付加情報が検出された場合には当該付加情報を前記画像処理装置に送信する送信手段と、をさらに有することを特徴とする請求項１ないし８のいずれか１項に記載の投影装置。
【請求項１０】
投影装置と通信可能に接続された画像処理装置であって、
前記投影装置で投影可能な映像データを生成し、前記投影装置に送信する送信手段と、
前記投影装置においてスクリーンに投影されている映像データと、当該映像データの投影時に検出された前記スクリーンに付加された付加情報とを前記投影装置から受信する受信手段と、
前記受信手段により受信した付加情報と、当該付加情報が検出されたときに前記投影装置で投影されていた映像データとを関連付けて記録する記録手段と、を有することを特徴とする画像処理装置。
【請求項１１】
前記記録手段により関連付けて記録された映像データと付加情報とを合成する合成手段と、
前記合成手段により合成された画像データを表示するする表示手段と、をさらに有し、
前記送信手段は、前記表示手段に表示されている画像データを、前記投影装置に送信することを特徴とする請求項１０に記載の画像処理装置。
【請求項１２】
映像データを投影する投影装置の制御方法であって、
撮像手段が、前記映像データが投影されているスクリーンを撮影するステップと、
検出手段が、前記撮影された画像データから、前記スクリーンに投影されている映像データとは別に当該スクリーンに付加された付加情報を検出するステップと、
記録手段が、前記付加情報が検出されたときに、当該付加情報と当該付加情報が検出されたときに前記スクリーンに投影されていた映像データとを関連付けて記録するステップと、
制御手段が、前記スクリーンに投影されている映像データが切り替えられたときに、前記撮像手段によるスクリーンの撮影と、前記検出手段による付加情報の検出と、前記記録手段による記録とを実行するように制御するステップと、を有することを特徴とする投影装置の制御方法。
【請求項１３】
投影装置と通信可能に接続された画像処理装置の制御方法であって、
送信手段が、前記投影装置で投影可能な映像データを生成し、前記投影装置に送信するステップと、
受信手段が、前記投影装置においてスクリーンに投影されている映像データと、当該映像データの投影時に検出された前記スクリーンに付加された付加情報とを前記投影装置から受信するステップと、
記録手段が、前記受信した付加情報と、当該付加情報が検出されたときに前記投影装置で投影されていた映像データとを関連付けて記録するステップと、を有することを特徴とする画像処理装置の制御方法。
【請求項１４】
映像データを投影する投影装置であって、
前記映像データが投影されているスクリーンを撮像して得られた画像データから、前記スクリーンに投影されている映像データとは別に当該スクリーンに付加された付加情報を検出する検出手段と、
前記検出手段により検出された付加情報を、当該付加情報が検出されたときに前記スクリーンに投影されていた映像データに関連付けて記録する記録手段と、
前記スクリーンに投影されている映像データが切り替えられた後で、前記検出手段により新たな付加情報が検出されたときに、新たに検出された前記付加情報を当該付加情報が検出されたときに投影されていた映像データに関連付けるように制御する制御手段と、を有することを特徴とする投影装置。
【請求項１５】
前記スクリーンに投影されている映像データが切り替えられた後に撮像して得られた画像データに、切り替えの前に付加されていた付加情報が含まれていた場合に、前記制御手段は、前記映像データの切り替えの前に付加されていた付加情報は、切り替えられた後の前記映像データには関連付けをしないように制御することを特徴とする請求項１４に記載の投影装置。
【請求項１６】
投影装置と通信する画像処理装置であって、
前記投影装置で投影可能な映像データを生成し、前記投影装置に送信する送信手段と、
前記映像データに基づき前記投影装置が映像を投影しているスクリーンに付加された付加情報を受信する受信手段と、
受信した前記付加情報を、当該付加情報が検出されたときに前記投影装置で投影されていた映像データに関連付けて記録する記録手段と、を有し、
前記記録手段は、前記スクリーンに投影されている映像データが切り替えられた後で、新たに付加された前記付加情報を、当該切り替えの後に投影されている映像データに関連付けることを特徴とする画像処理装置。
【請求項１７】
前記受信手段は、前記付加情報として、前記スクリーンを撮影して得られた画像データを受信することを特徴とする請求項１６に記載の画像処理装置。
【請求項１８】
前記スクリーンに投影されている映像データが切り替えられた後に撮像して得られた画像データに、切り替えの前に付加されていた付加情報が含まれていた場合に、前記記録手段は、前記映像データの切り替えの前に付加されていた付加情報は、切り替えられた後の前記映像データには関連付けをしないように記録することを特徴とする請求項１６または１７に記載の画像処理装置。
【請求項１９】
映像データを投影する投影装置の制御方法であって、
検出手段が、前記映像データが投影されているスクリーンを撮像して得られた画像データから、前記スクリーンに投影されている映像データとは別に当該スクリーンに付加された付加情報を検出するステップと、
記録手段が、検出された前記付加情報を、当該付加情報が検出されたときに前記スクリーンに投影されていた映像データに関連付けて記録するステップと、
制御手段が、前記スクリーンに投影されている映像データが切り替えられた後で、新たな付加情報が検出されたときに、新たに検出された前記付加情報を当該付加情報が検出されたときに投影されていた映像データに関連付けるように制御するステップと、を有することを特徴とする投影装置の制御方法。
【請求項２０】
投影装置と通信する画像処理装置の制御方法であって、
送信手段が、前記投影装置で投影可能な映像データを生成し、前記投影装置に送信するステップと、
受信手段が、前記映像データに基づき前記投影装置が映像を投影しているスクリーンに付加された付加情報を受信するステップと、
記録手段が、受信した前記付加情報を、当該付加情報が検出されたときに前記投影装置で投影されていた映像データに関連付けて記録するステップと、を有し、
前記記録するステップでは、前記スクリーンに投影されている映像データが切り替えられた後で、新たに付加された前記付加情報を、当該切り替えの後に投影されている映像データに関連付けることを特徴とする画像処理装置の制御方法。
【請求項２１】
コンピュータに、請求項１２、１３、１９、２０のいずれか１項に記載された制御方法を実行させるためのプログラム。
【手続補正２】
【補正対象書類名】明細書
【補正対象項目名】発明の名称
【補正方法】変更
【補正の内容】
【発明の名称】投影装置、画像処理装置およびそれらの制御方法、並びにプログラム
【手続補正３】
【補正対象書類名】明細書
【補正対象項目名】０００６
【補正方法】変更
【補正の内容】
【０００６】
本発明は、上記課題に鑑みてなされ、その目的は、スクリーン上に付加された情報が残った状態で投影映像が切り替えられた場合であっても、投影中の映像と新たに付加された情報とを正確に関連付けて記録することができる技術を実現することである。
【手続補正４】
【補正対象書類名】明細書
【補正対象項目名】０００７
【補正方法】変更
【補正の内容】
【０００７】
上記課題を解決し、目的を達成するために、本発明の投影装置は、映像データを投影する投影装置であって、前記映像データが投影されているスクリーンを撮像する撮像手段と、前記撮像手段により得られた画像データから、前記スクリーンに投影されている映像データとは別に当該スクリーンに付加された付加情報を検出する検出手段と、前記検出手段により検出された付加情報と、当該付加情報が検出されたときに前記スクリーンに投影されていた映像データとを関連付けて記録する記録手段と、前記スクリーンに投影されている映像データが切り替えられたときに、前記撮像手段によるスクリーンの撮影と、前記検出手段による付加情報の検出とを行い、前記検出手段により新たに付加情報が検出されたときに、当該新たに検出された付加情報と当該付加情報が検出されたときに投影されていた映像データとを関連付けて記録するように制御する制御手段と、を有する。
【手続補正５】
【補正対象書類名】明細書
【補正対象項目名】０００８
【補正方法】変更
【補正の内容】
【０００８】
本発明によれば、スクリーン上に付加された情報が残った状態で投影映像が切り替えられた場合であっても、投影中の映像と新たに付加された情報とを正確に関連付けて記録することができる。